(57)【要約】【課題】棒金を容易に開封することができ、且つ怪我等の危険にさらされにくい棒金開封機構を提供する。【解決手段】棒金開封溝部１００は、重ねられた複数の硬貨が包装材で包装されてなる棒金を折ることにより包装材を破断させて開封するために利用される。棒金開封溝部１００は、棒金の直径よりも大きな距離（幅Ｗ１）を開けて対向する一対の壁部１０３を含む。一対の壁部１０３のうち左壁部１０３ａは、棒金の側面の一部が当たる当たり部として機能し、右壁部１０３ｂは、棒金の側面における当たり部に当たる部位より棒金の一端に近い部位が当たり部側に押されたときに、棒金の他端が押された方向と反対に動くのを阻止する阻止部として機能する。【選択図】図２
2018005697.tif 000002
【特許請求の範囲】
【請求項１】
重ねられた複数の硬貨が包装材で包装されてなる棒金を折ることにより包装材を破断させて開封するための棒金開封機構であって、
棒金の側面の一部が当たる当たり部と、
棒金の側面における前記当たり部に当たる部位より棒金の一端に近い部位が前記当たり部側に押されたときに、棒金の他端が押された方向と反対に動くのを阻止する阻止部と、
を備えることを特徴とする棒金開封機構。
【請求項２】
棒金の直径よりも大きな距離を開けて対向する一対の壁部を含み、
前記一対の壁部の間の隙間に棒金が挿入され、前記一対の壁部のうち一方の壁部が前記当たり部として機能し、他方の壁部が前記阻止部として機能する、
ことを特徴とする請求項１に記載の棒金開封機構。
【請求項３】
前記一対の壁部は、第１の一対の壁部と、前記第１の一対の壁部とは隙間の大きさが異なる第２の一対の壁部とを含む、
ことを特徴とする請求項２に記載の棒金開封機構。
【請求項４】
前記第１の一対の壁部の一方の壁部は、前記第２の一対の壁部の一方の壁部として共用される、
ことを特徴とする請求項３に記載の棒金開封機構。
【請求項５】
前記一対の壁部のうち前記当たり部となる壁部に、前記阻止部となる壁部側に突出する突起部が形成される、
ことを特徴とする請求項２ないし４の何れか一項に記載の棒金開封機構。
【請求項６】
前記一対の壁部の下に、前記一対の壁部の外に向かって下り傾斜する傾斜面が形成される、
ことを特徴とする請求項２ないし５の何れか一項に記載の棒金開封機構。
【請求項７】
棒金が前記一対の壁部の間に所定長さの分だけ挿入されたときに棒金の先端に当接し、それ以上の棒金の挿入を規制する規制部をさらに備える、
ことを特徴とする請求項１ないし６の何れか一項に記載の棒金開封機構。
【請求項８】
前記所定長さは、棒金の長さの半分以下とされる、
ことを特徴とする請求項７に記載の棒金開封機構。
【請求項９】
棒金が開封されたときにこぼれ落ちる硬貨を受ける受け部をさらに備える、
ことを特徴とする請求項１ないし８の何れか一項に記載の棒金開封機構。
【請求項１０】
請求項１ないし８の何れか一項に記載の棒金開封機構と、
硬貨が投入される投入口部と、
前記投入口部に投入された硬貨が収納される収納部と、
を備えることを特徴とする貨幣処理装置。
【請求項１１】
前記棒金開封機構は、前記投入口部の周囲の装置本体の側面に設けられる、
ことを特徴とする請求項１０に記載の貨幣処理装置。
【請求項１２】
前記棒金開封機構は、前記装置本体の前方の側面に設けられる、
ことを特徴とする請求項１１に記載の貨幣処理装置。
【請求項１３】
前記棒金開封機構は、前記当たり部と前記阻止部との間の隙間からなる空間が上方に開口している、
ことを特徴とする請求項１１または１２に記載の貨幣処理装置。
【請求項１４】
前記棒金開封機構は、棒金が開封されたときにこぼれ落ちる硬貨を受ける受け部をさらに含む、
ことを特徴とする請求項１０ないし１３の何れか一項に記載の貨幣処理装置。
【請求項１５】
前記受け部は、前記装置本体に着脱自在に設けられる、
ことを特徴とする請求項１４に記載の貨幣処理装置。
【発明の詳細な説明】
【技術分野】
【０００１】
本発明は、棒金の開封に用いる棒金開封機構に関する。また、本発明は、棒金開封機構を備える貨幣処理装置に関する。
【背景技術】
【０００２】
棒金（包装硬貨）を分解してバラの硬貨を取り出すために、ＰＯＳ端末等の貨幣の入出金を行う装置に組み込まれる棒金開封装置が、たとえば、特許文献１に開示されている。
【０００３】
特許文献１の棒金開封装置は、棒金挿入用のガイド穴が形成された装置本体と、ガイド穴に挿入される棒金の側面と向かい合う当該ガイド穴の内壁面の所定箇所に固着されたカッターとを備える。かかる棒金開封装置では、ガイド穴に棒金を挿入して、棒金の側面をガイド穴内に設けられたカッターに当接させ、この状態で棒金を回転させると、棒金に切れ込みが入れられる。棒金開封装置から取り出した棒金を、切れ込みを広げるようにして折ることで、棒金が開封される。
【先行技術文献】
【特許文献】
【０００４】
【特許文献１】特開２００２−０３２８５１号公報
【発明の概要】
【発明が解決しようとする課題】
【０００５】
しかしながら、上記の棒金開封装置では、使用者が誤ってガイド穴に指を挿入してしまった場合、指がカッターに触れて怪我をしてしまう虞がある。
【０００６】
かかる課題に鑑み、本発明は、棒金を容易に開封することができ、且つ怪我等の危険にさらされにくい棒金開封機構を提供することを目的とする。
【課題を解決するための手段】
【０００７】
本発明の第１の態様は、重ねられた複数の硬貨が包装材で包装されてなる棒金を折ることにより包装材を破断させて開封するための棒金開封機構に関する。本態様に係る棒金開封機構は、棒金の側面の一部が当たる当たり部と、棒金の側面における前記当たり部に当たる部位より棒金の一端に近い部位が前記当たり部側に押されたときに、棒金の他端が押された方向と反対に動くのを阻止する阻止部と、を備えることを特徴とする。
【０００８】
上記の構成によれば、ユーザは、棒金開封機構を利用して、テコの原理により、小さな力で容易に棒金を折って破断させ、開封することができる。しかも、棒金の開封にカッター等の切断具を用いないので、怪我等の危険にさらされにくい。
【０００９】
本態様に係る棒金開封機構は、棒金の直径よりも大きな距離を開けて対向する一対の壁部を含み得る。この場合、前記一対の壁部の間の隙間に棒金が挿入され、前記一対の壁部のうち一方の壁部が前記当たり部として機能し、他方の壁部が前記阻止部として機能する。
【００１０】
上記の構成によれば、棒金の直径よりも大きな距離を開けて対向する一対の壁部によって、棒金開封機構を簡単に構成することができる。
【００１１】
上記の構成とされた場合、さらに、前記一対の壁部は、第１の一対の壁部と、前記第１の一対の壁部とは隙間の大きさが異なる第２の一対の壁部とを含むような構成とされ得る。
【００１２】
このような構成とされれば、棒金開封機構により、直径の異なる種々の棒金の開封を良好に行えやすい。
【００１３】
上記の構成とされた場合、さらに、前記第１の一対の壁部の一方の壁部は、前記第２の一対の壁部の一方の壁部として共用されるような構成とされ得る。
【００１４】
このような構成とされれば、棒金開封機構が、複雑な形状とならず、形成しやすくなる。
【００１５】
本態様に係る棒金開封機構が、一対の壁部を含む構成とされた場合、さらに、前記一対の壁部のうち前記当たり部となる壁部に、前記阻止部となる壁部側に突出する突起部が形成されるような構成が採られ得る。
【００１６】
このような構成とされれば、棒金が折れやすくなるため、一層、棒金を開封しやすくなる。
【００１７】
本態様に係る棒金開封機構が、一対の壁部を含む構成とされた場合、さらに、前記一対の壁部の下に、前記一対の壁部の外に向かって下り傾斜する傾斜面が形成されるような構成が採られ得る。
【００１８】
このような構成とされれば、一対の壁部の間の隙間に棒金の片割れやばらされた硬貨が残った場合、傾斜面を滑ることで、これらが隙間から出やすくなる。
【００１９】
本態様に係る棒金開封機構において、棒金が前記一対の壁部の間に所定長さの分だけ挿入されたときに棒金の先端に当接し、それ以上の棒金の挿入を規制する規制部をさらに備えるような構成が採られ得る。
【００２０】
上記の構成によれば、一対の壁部の間への棒金の挿入長さが決まるため、棒金の挿入が容易になり作業性が向上する。
【００２１】
上記の構成とされた場合、さらに、前記所定長さは、棒金の長さの半分以下とされ得る。
【００２２】
このような構成とされれば、棒金において、力が加えられる部位と折られる部位との間を長く取ることができ、棒金を折るために加える力を小さくできる。
【００２３】
本態様に係る棒金開封機構において、棒金が開封されたときにこぼれ落ちる硬貨を受ける受け部をさらに備えるような構成が採られ得る。
【００２４】
上記の構成によれば、棒金を開封したときに、ばらけた硬貨が床面等にこぼれ落ちるのを防止できる。
【００２５】
本発明の第２の態様に係る貨幣処理装置は、第１の態様に係る棒金開封機構と、硬貨が投入される投入口部と、前記投入口部に投入された硬貨が収納される収納部と、を備える。
【００２６】
上記の構成によれば、第１の態様と同様の作用効果を奏することができる。
【００２７】
本態様に係る貨幣処理装置において、前記棒金開封機構は、前記投入口部の周囲の装置本体の側面に設けられ得る。
【００２８】
上記の構成によれば、棒金を開封した後、取り出した硬貨を投入口部に投入する作業が行いやすい。
【００２９】
上記の構成とされた場合、さらに、前記棒金開封機構は、前記装置本体の前方の側面に設けられ得る。
【００３０】
このような構成とされれば、貨幣処理装置の前面に向き合うユーザが、棒金開封機構で棒金の開封作業を行いやすい。
【００３１】
上記の構成とされた場合、さらに、前記棒金開封機構は、前記当たり部と前記阻止部との間の隙間からなる空間が上方に開口しているような構成とされ得る。
【００３２】
このような構成とされれば、当たり部と阻止部との間の隙間へ棒金を挿入しやすくなるうえ、棒金が開封されたときに棒金開封機構内に残留した硬貨の取り出しや、残留確認が容易に行える。
【００３３】
本態様に係る貨幣処理装置において、前記棒金開封機構は、棒金が開封されたときにこぼれ落ちる硬貨を受ける受け部をさらに含むような構成とされ得る。
【００３４】
上記の構成によれば、棒金を開封したときに、ばらけた硬貨が床面等にこぼれ落ちるのを防止できる。
【００３５】
上記の構成とされた場合、前記受け部は、前記装置本体に着脱自在に設けられ得る。
【００３６】
このような構成とされれば、ユーザは、受け部を用いて、回収された硬貨を容易に投入口部まで運ぶことができる。
【発明の効果】
【００３７】
本発明によれば、棒金を容易に開封することができ、且つ怪我等の危険にさらされにくい棒金開封機構を提供することができる。
【００３８】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３９】
【図１】図１は、実施形態に係る、上蓋が開放されホッパーが外部に露出した状態の硬貨包装機の斜視図である。
【図２】図２は、実施形態に係る、棒金開封溝部の構成を示す、上部材の要部の斜視図である。
【図３】図３（ａ）ないし（ｄ）は、本実施形態に係る、棒金開封溝部を用いた棒金の開封について説明するための図である。
【図４】図４（ａ）は、変更例１に係る、棒金開封溝部の構成を示す、上部材の要部の斜視図である。図４（ｂ）および（ｃ）は、変更例１に係る、棒金開封溝部を用いた棒金の開封について説明するための図である。図４（ｄ）は、棒金開封溝部に他の突起部が形成された例を示す図である。
【図５】図５（ａ）は、変更例２に係る、棒金開封溝部の構成を示す、上部材の要部の斜視図である。図５（ｂ）および（ｃ）は、変更例２に係る、棒金開封溝部を用いた棒金の開封について説明するための図である。
【図６】図６（ａ）は、変更例３に係る、棒金開封溝部の構成を示す、上部材の要部の斜視図である。図６（ｂ）および（ｃ）は、変更例３に係る、棒金開封溝部を用いた棒金の開封について説明するための図である。図６（ｄ）は、棒金開封溝部の他の構成例について説明するための図である。
【図７】図７（ａ）は、変更例４に係る、受け皿が上部材の前側面から取り外された状態の棒金開封機構の構成を示す、上部材の要部の斜視図である。図７（ｂ）は、変更例４に係る、受け皿が上部材の前側面に装着された状態の棒金開封機構の構成を示す、上部材の要部の斜視図である。
【図８】図８（ａ）ないし（ｄ）は、変更例４に係る、棒金開封機構を用いた棒金の開封について説明するための図である。
【図９】図９（ａ）は、変更例５に係る、棒金開封機構の構成を示す、上部材の要部の斜視図である。図９（ｂ）および（ｃ）は、変更例５に係る、棒金開封機構を用いた棒金の開封について説明するための図である。
【図１０】図１０（ａ）および（ｂ）は、その他の変更例に係る、棒金開封溝部の構成を示す、上部材の要部の斜視図である。
【発明を実施するための形態】
【００４０】
以下、本発明の実施形態について、図面を参照して説明する。
【００４１】
以下の実施形態において、硬貨包装機１が特許請求の範囲に記載の「貨幣処理装置」に対応する。また、ホッパー１３が特許請求の範囲に記載の「投入口部」に対応する。さらに、第１収納箱１６、第２収納箱１７および第３収納箱１８が特許請求の範囲に記載の「収納部」に対応する。さらに、棒金開封溝部１００が特許請求の範囲に記載の「棒金開封機構」に対応する。さらに、後壁部１０４および底壁部１０５が特許請求の範囲に記載の「規制部」に対応する。
【００４２】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。この点は、変更例においても同様である。
【００４３】
図１は、本実施形態に係る、上蓋１４が開放されホッパー１３が外部に露出した状態の硬貨包装機１の斜視図である。
【００４４】
硬貨包装機１は、装置本体１１を備える。装置本体１１は、その上部に樹脂製の上部材１２を有する。上部材１２の上面１２ａには、バラの硬貨が投入されるホッパー１３が設けられる。ホッパー１３は、前後に折り畳み可能な上蓋１４によって開閉される。
【００４５】
上部材１２の上面１２ａには、ホッパー１３の前方に操作表示部１５が設けられる。操作表示部１５は、たとえば、ディスプレイと、ディスプレイに重ねられたタッチセンサとからなるタッチパネルにより構成される。
【００４６】
装置本体１１の前部には、第１収納箱１６と、第２収納箱１７と、第３収納箱１８とが設けられる。第１収納箱１６は、装置本体１１に対して上方に着脱可能であり、第２収納箱１７および第３収納箱１８は、装置本体１１に対して前方に着脱可能である。
【００４７】
装置本体１１内には、識別部、重積部、包装部および搬送部が設けられる。ホッパー１３内に投入された硬貨は、一枚ずつ搬送部で搬送されて識別部により金種や真偽の判定と計数とが行われた後、重積部において所定枚数（たとえば、５０枚）ずつ棒状に重ねられる。棒状に重ねられた硬貨は、包装部において包装フィルム、包装紙等の包装材で包装される。こうして、所定の金種の棒金（包装硬貨）が生成される。生成された棒金は、第１収納箱１６または第２収納箱１７に収納される。なお、棒金を生成するのではなく、バラの硬貨を計数した後に保管する場合は、計数後のバラの硬貨が、重積部および包装部に送られることなく、第３収納箱１８に収納される。
【００４８】
古くなった棒金や包装に不備があった棒金を再包装する際には、棒金を開封して硬貨をばらし、バラの状態の硬貨をホッパー１３に投入する必要がある。そこで、ホッパー１３の周囲にある上部材１２の前側面１２ｂには、上端部に、棒金開封溝部１００が設けられる。
【００４９】
棒金開封溝部１００は、棒金を折ることにより包装材を破断させ、これによって棒金を開封するために用いられる。硬貨は金種毎に直径と厚さが異なるため、棒金も、その金種によって直径と長さが異なる。よって、棒金開封溝部１００は、全て金種（５００円、１００円、５０円、１０円、５円、１円）の棒金に対応可能に構成される。
【００５０】
以下、棒金開封溝部１００の構成について、詳細に説明する。
【００５１】
図２は、本実施形態に係る、棒金開封溝部１００の構成を示す、上部材１２の要部の斜視図である。図３（ａ）ないし（ｄ）は、本実施形態に係る、棒金開封溝部１００を用いた棒金の開封について説明するための図である。
【００５２】
棒金開封溝部１００は、前方と上方とが、それぞれ、棒金の前方挿入口１０１および上方挿入口１０２として開放された直方体形状の溝部であり、左壁部１０３ａと右壁部１０３ｂとからなる平坦な一対の壁部１０３と、平坦な後壁部１０４と、平坦な底壁部１０５とを含む。一対の壁部１０３の間の隙間の大きさ、即ち、棒金開封溝部１００の幅Ｗ１は、最も直径の大きな５００円の棒金よりも僅かに大きな値、たとえば、２８ｍｍ程度に設定される。棒金開封溝部１００の奥行Ｄ１および高さ（深さ）Ｈ１は、最も長さの短い１円の棒金の長さの半分以下の値、より望ましくは３分の１程度の値、たとえば３０ｍｍ程度に設定される。このとき、奥行Ｄ１および高さＨ１は、５００円の棒金の直径よりも大きくなる。
【００５３】
なお、棒金開封溝部１００の奥行Ｄ１は、棒金を、その軸方向が前後方向となるように棒金開封溝部１００に挿入するときに挿入可能な挿入長さとなり、それ以上の棒金の挿入は、後壁部１０４への先端の当接によって規制される。また、棒金開封溝部１００の高さＨ１は、棒金を、その軸方向が上下方向となるように棒金開封溝部１００に挿入するときに挿入可能な挿入長さとなり、それ以上の棒金の挿入は、底壁部１０５への先端の当接によって規制される。
【００５４】
棒金を開封する際には、ユーザは、図３（ａ）に示すように、前方挿入口１０１や上方挿入口１０２を通じて、棒金を、その軸方向が前後方向となるように、その先端が後壁部１０４に当接するまで棒金開封溝部１００内に挿入する。その後、ユーザは、棒金開封溝部１００から前方に突き出した棒金の基端側を把持して、図示の矢印のように、左壁部１０３ａ側に押し倒すようにする。これにより、棒金の側面の一部が、左壁部１０３ａの前縁部に当たる。また、棒金の先端部は、右壁部１０３ｂの後縁部に当たり、左壁部１０３ａ側と反対側へ動くのを阻止される。右壁部１０３ｂの後縁部に当たる棒金の部位を支点Ａ、押された棒金の部位を力点Ｂ、左壁部１０３ａの前縁部に当たる棒金の部位を作用点Ｃとするテコの原理によって、作用点Ｃの部分において棒金に大きな曲げ応力が作用する。これにより、図３（ｂ）のように、棒金が折られて包装材が破断し、棒金が開封されてバラの状態の硬貨が取り出せるようになる。
【００５５】
なお、ユーザは、図３（ｃ）のように、棒金を、その軸方向が上下方向となるように、その先端が底壁部１０５に当接するまで棒金開封溝部１００内に挿入し、図３（ｄ）のように、棒金を折って開封することもできる。
【００５６】
＜実施形態の効果＞
本実施形態によれば、以下の効果が奏され得る。
【００５７】
（１）ユーザは、棒金開封溝部１００を利用して、テコの原理により、小さな力で容易に棒金を折って破断させ、開封することができる。しかも、棒金の開封にカッター等の切断具を用いないので、怪我等の危険にさらされにくい。
【００５８】
（２）棒金の直径よりも大きな距離を開けて対向する一対の壁部１０３を有する溝部を形成するだけで、棒金開封機構を簡単に構成することができる。
【００５９】
（３）後壁部１０４や底壁部１０５によって棒金開封溝部１００への棒金の挿入長さが決まるため、棒金の挿入が容易になり作業性が向上する。
【００６０】
（４）棒金開封溝部１００への棒金の挿入長さが棒金の長さの半分以下であるため、棒金において、力が加えられる部位（力点Ｂ）と折られる部位（作用点Ｃ）との間を長く取ることができ、棒金を折るために加える力を小さくできる。
【００６１】
（５）棒金開封溝部１００は、ホッパー１３の周囲の装置本体１１（上部材１２）の前側面１２ｂに設けられるので、棒金を開封した後、取り出した硬貨をホッパー１３に投入する作業が行いやすい。また、硬貨包装機１の前面に向き合うユーザが、棒金開封溝部１００で棒金の開封作業を行いやすい。
【００６２】
（６）棒金開封溝部１００は、一対の壁部１０３の間の隙間が装置本体１１（上部材１２）の上面１２ａまで繋がっている、即ち、上方挿入口１０２を有するので、ユーザは、棒金を前方および上方の何れからも棒金開封溝部１００に挿入でき、挿入作業が行いやすい。また、棒金が二つにちぎれて片割れが棒金開封溝部１００に残っても、その片割れを確認しやすく、指で取り出しやすい。
【００６３】
以上、本発明の実施形態について説明したが、本発明は、上記実施形態によって何ら制限されるものではなく、また、本発明の実施形態も、以下に示す通り、上記以外に種々の変更が可能である。
【００６４】
＜変更例１＞
図４（ａ）は、変更例１に係る、棒金開封溝部１００Ａの構成を示す、上部材１２の要部の斜視図である。図４（ｂ）および（ｃ）は、変更例１に係る、棒金開封溝部１００Ａを用いた棒金の開封について説明するための図である。図４（ｄ）は、棒金開封溝部１００Ａに他の突起部１０７が形成された例を示す図である。
【００６５】
本変更例の棒金開封溝部１００Ａでは、左壁部１０３ａの前縁部に、上下方向に延び右壁部１０３ｂ側に突出する半円柱状の突起部１０６が棒金開封溝部１００Ａと一体形成される。それ以外の構成は、上記実施形態の棒金開封溝部１００と同様である。但し、本変更例の棒金開封溝部１００Ａでは、突起部１０６の先端から右壁部１０３ｂまでの距離Ｌ１が、上記実施形態の棒金開封溝部１００の幅Ｗ１と同じとなる。
【００６６】
本変更例では、図４（ｂ）に示すように、棒金を、その軸方向が前後方向となるように棒金開封溝部１００Ａ内に挿入し、左壁部１０３ａ側に押し倒すようにすると、棒金の作用点Ｃとなる部位が突起部１０６に当たる。これにより、この作用点Ｃとなる部位に力が集中し、より大きな曲げ応力が棒金に掛かるので、棒金が折れやすくなる。よって、本変更例によれば、棒金を開封しやすくすることができる。
【００６７】
なお、突起部１０６の形状は、円弧形状でなくてもよく、たとえば、三角形状でもよい。また、上記の例では、突起部１０６は、上部材１２と同じ樹脂で形成される。しかしながら、図４（ｄ）に示すように、上下に延びる金属製の棒（たとえば、丸棒）を、インサート成形により左壁部１０３ａから半出させるようにして、突起部１０７を形成するようにしてもよい。このように金属製とすれば、突起部１０７を強固なものとすることができ、突起部１０７に破損や変形等が生じにくくなる。
【００６８】
また、突起部１０６は、左壁部１０３ａの上縁部に、前後方向に延び右壁部１０３ｂ側に突出するよう棒金開封溝部１００Ａと一体形成されることとしてもよい。
【００６９】
＜変更例２＞
図５（ａ）は、変更例２に係る、棒金開封溝部２００の構成を示す、上部材１２の要部の斜視図である。図５（ｂ）および（ｃ）は、変更例２に係る、棒金開封溝部２００を用いた棒金の開封について説明するための図である。
【００７０】
本変更例において、棒金開封溝部２００が特許請求の範囲に記載の「棒金開封機構」に対応する。また、左壁部２０３が特許請求の範囲に記載の「一方の壁部」に対応する。さらに、第１後壁部２０６および第２後壁部２０７が特許請求の範囲に記載の「規制部」に対応する。
【００７１】
本変更例の棒金開封溝部２００は、上記実施形態の棒金開封溝部１００と同じ第１開封溝部２００ａの後方に連続して第１開封溝部２００ａよりも幅の小さな第２開封溝部２００ｂが形成された構成を有する。棒金開封溝部２００は、前方と上方とが、それぞれ、棒金の前方挿入口２０１および上方挿入口２０２として開放される。
【００７２】
棒金開封溝部２００は、左壁部２０３と、左壁部２０３に対向する第１右壁部２０４と、第１右壁部２０４の後方に位置し第１右壁部２０４よりも短い間隔で左壁部２０３と対向する第２右壁部２０５と、第１右壁部２０４の後縁に位置する第１後壁部２０６と、第２右壁部２０５の後縁に位置する第２後壁部２０７と、底壁部２０８とで構成される。左壁部２０３と第１右壁部２０４は、直径の大きな大径グループ（５００円、１００円、１０円）の棒金の開封に関わる第１の一対の壁部２０９を構成し、左壁部２０３と第２右壁部２０５は、直径の小さな小径グループ（５０円、５円、１円）の棒金の開封に関わる第２の一対の壁部２１０を構成する。
【００７３】
第１開封溝部２００ａの幅Ｗ２、即ち、第１の一対の壁部２０９の間の隙間は、上記実施形態の棒金開封溝部１００の幅Ｗ１と等しい。また、第２開封溝部２００ｂの幅Ｗ３、即ち、第２の一対の壁部２１０の間の隙間は、小径グループの棒金の中で最も直径の大きな５円の棒金の直径よりも僅かに大きな値、たとえば、２４ｍｍ程度に設定される。
【００７４】
棒金開封溝部２００の第１後壁部２０６までの奥行Ｄ２、即ち、大径グループの棒金が挿入可能な挿入長さは、上記実施形態の棒金開封溝部１００の奥行Ｄ１と等しい。また、棒金開封溝部２００の第２後壁部２０７までの奥行Ｄ３、即ち、小径グループの棒金が挿入可能な挿入長さは、小径グループの中で最も長さの短い１円の棒金の長さの半分以下の値、たとえば３５ｍｍ程度に設定される。また、棒金開封溝部２００の高さ（深さ）Ｈ２は、上記実施形態の棒金開封溝部１００の高さＨ１と等しい。
【００７５】
大径グループの棒金を開封する際には、ユーザは、図５（ｂ）に示すように、棒金を、その軸方向が前後方向となるように、その先端が第１後壁部２０６に当接するまで棒金開封溝部２００内に挿入する。その後、ユーザは、棒金の基端側を左壁部２０３側に押し倒すようにし、棒金を開封させる。一方、小径グループの棒金を開封する際には、ユーザは、図５（ｃ）に示すように、棒金を、その軸方向が前後方向となるように、その先端が第２後壁部２０７に当接するまで棒金開封溝部２００内に挿入する。その後、ユーザは、棒金の基端側を左壁部２０３側に押し倒すようにし、棒金を開封させる。
【００７６】
本変更例によれば、棒金開封溝部２００は、隙間の距離が異なる第１の一対の壁部２０９と第２の一対の壁部２１０とを備えるため、直径の異なる種々の棒金の開封を良好に行えやすい。
【００７７】
また、本変更例によれば、左壁部２０３が、第１の一対の壁部２０９および第２の一対の壁部２１０の一方の壁部として共用されているので、棒金開封溝部２００が、複雑な形状とならず、形成しやすくなる。
【００７８】
＜変更例３＞
図６（ａ）は、変更例３に係る、棒金開封溝部３００の構成を示す、上部材１２の要部の斜視図である。図６（ｂ）および（ｃ）は、変更例３に係る、棒金開封溝部３００を用いた棒金の開封について説明するための図である。図６（ｄ）は、棒金開封溝部３００の他の構成例について説明するための図である。
【００７９】
本変更例において、棒金開封溝部３００が特許請求の範囲に記載の「棒金開封機構」に対応する。また、右壁部３０４が特許請求の範囲に記載の「一方の壁部」に対応する。さらに、後壁部３０６が特許請求の範囲に記載の「規制部」に対応する。
【００８０】
本変更例の棒金開封溝部３００は、上記実施形態の棒金開封溝部１００と同じ第１開封溝部３００ａの下方に連続して第１開封溝部３００ａよりも幅の小さな第２開封溝部３００ｂが形成された構成を有する。棒金開封溝部３００は、前方と上方とが、それぞれ、棒金の前方挿入口３０１および上方挿入口３０２として開放される。
【００８１】
棒金開封溝部３００は、第１左壁部３０３と、第１左壁部３０３に対向する右壁部３０４と、第１左壁部３０３の下方に位置し第１左壁部３０３より短い間隔で右壁部３０４と対向する第２左壁部３０５と、後壁部３０６と、第１左壁部３０３の下縁に位置する第１底壁部３０７と、第２左壁部３０５の下縁に位置する第２底壁部３０８とで構成される。第１左壁部３０３と右壁部３０４は、大径グループ（５００円、１００円、１０円）の棒金の開封に関わる第１の一対の壁部３０９を構成し、第２左壁部３０５と右壁部３０４は、小径グループ（５０円、５円、１円）の棒金の開封に関わる第２の一対の壁部３１０を構成する。
【００８２】
第１開封溝部３００ａの幅Ｗ４、即ち、第１の一対の壁部３０９の間の隙間は、上記実施形態の棒金開封溝部１００の幅Ｗ１と等しい。また、第２開封溝部３００ｂの幅Ｗ５、即ち、第２の一対の壁部３１０の間の隙間は、変更例２の第２開封溝部２００ｂの幅Ｗ３と等しい。
【００８３】
棒金開封溝部３００の奥行Ｄ４、即ち、大径グループおよび小径グループの棒金が挿入可能な挿入長さは、上記実施形態の棒金開封溝部１００の奥行Ｄ１と等しい。また、第１開封溝部３００ａの高さ（深さ）Ｈ３は、上記実施形態の棒金開封溝部１００の高さＨ１と等しい。さらに、第２開封溝部３００ｂの高さ（深さ）Ｈ４は、小径グループの中で最も直径の大きな５円の棒金の直径よりも大きい値、たとえば２４ｍｍ程度に設定される。
【００８４】
大径グループの棒金を開封する際には、ユーザは、図６（ｂ）に示すように、棒金を、その軸方向が前後方向となるように、その先端が後壁部３０６に当接するまで第１開封溝部３００ａ内に挿入する。その後、ユーザは、棒金の基端側を第１左壁部３０３側に押し倒すようにし、棒金を開封させる。一方、小径グループの棒金を開封する際には、ユーザは、図６（ｃ）に示すように、棒金を、その軸方向が前後方向となるように、その先端が後壁部３０６に当接するまで第２開封溝部３００ｂ内に挿入する。その後、ユーザは、棒金の基端側を第２左壁部３０５側に押し倒すようにし、棒金を開封させる。
【００８５】
本変更例によれば、変更例２と同様の作用効果を奏することができる。
【００８６】
なお、本変更例の棒金開封溝部３００は、変更例２の棒金開封溝部２００に比べ、サイズが大きくなる反面、小径グループの棒金について、図６（ｃ）のように、棒金開封溝部３００から前方に突出する部位を長くできるので、棒金を折るために加える力を小さくできる。
【００８７】
上記の例では、右壁部３０４が、第１の一対の壁部３０９および第２の一対の壁部３１０の一方の壁部として共用された。しかしながら、多少、棒金開封溝部３００を形成しにくくはなるが、図６（ｄ）のように、第１開封溝部３００ａおよび第２開封溝部３００ｂの左右方向における中央を一致させるような構成とすることで、右壁部３０４が、第１の一対の壁部３０９および第２の一対の壁部３１０の一方の壁部として共用されない構成とされてもよい。
【００８８】
＜変更例４＞
図７（ａ）は、変更例４に係る、受け皿４１０が上部材１２の前側面１２ｂから取り外された状態の棒金開封機構４００の構成を示す、上部材１２の要部の斜視図である。図７（ｂ）は、変更例４に係る、受け皿４１０が上部材１２の前側面１２ｂに装着された状態の棒金開封機構４００の構成を示す、上部材１２の要部の斜視図である。図８（ａ）ないし（ｄ）は、変更例４に係る、棒金開封機構４００を用いた棒金の開封について説明するための図である。
【００８９】
本変更例において、受け皿４１０が特許請求の範囲に記載の「受け部」に対応する。
【００９０】
本変更例の棒金開封機構４００は、上部材１２の前側面１２ｂの上端部に形成された棒金開封溝部１００Ｂと、上部材１２の前側面１２ｂに着脱自在な受け皿４１０とを含む。
【００９１】
棒金開封溝部１００Ｂは、底壁部１０５の表面が、前方挿入口１０１に向かって下り傾斜する傾斜面１０５ａに形成される。棒金開封溝部１００Ｂのその他の構成は、上記実施形態の棒金開封溝部１００と同様である。
【００９２】
受け皿４１０は、上面が開口する、外形が半円柱形状の容器である皿本体４１１と、皿本体４１１の右上端部に形成される方形状の壁板４１２と、皿本体４１１の一端面に設けられる磁石４１３により構成される。
【００９３】
上部材１２の前側面１２ｂには、棒金開封溝部１００Ｂの前方挿入口１０１の下方位置に、鉄等の磁性体からなる装着板４１４が取り付けられる。受け皿４１０は、磁石４１３が磁力によって装着板４１４に吸着されることによって、前方挿入口１０１の下方位置に装着される。
【００９４】
棒金を開封する際には、ユーザは、図８（ａ）に示すように、棒金を、その軸方向が前後方向となるように、その先端が後壁部１０４に当接するまで棒金開封溝部１００Ｂ内に挿入する。その後、ユーザは、棒金の基端側を左壁部１０３ａ側に押し倒すようにし、棒金を開封させる。
【００９５】
棒金が開封された際、ばらけた硬貨がこぼれ落ちる場合がある。このような場合、図８（ｂ）に示すように、こぼれ落ちた硬貨は、受け皿４１０に収容される。この際、受け皿４１０の周囲に飛び散ろうとする硬貨が壁板４１２よって止められ、硬貨の飛散が抑えられる。
【００９６】
図８（ｃ）のように、棒金が二つにちぎれ、棒金開封溝部１００Ｂ内に棒金の片割れが残っても、片割れは、底壁部１０５の傾斜面１０５ａを滑り降ることで棒金開封溝部１００Ｂから前方へ出てきやすい。また、片割れから硬貨が飛び出た場合も、これら硬貨は傾斜面１０５ａを滑り落ちて受け皿４１０に回収されやすい。
【００９７】
受け皿４１０に硬貨が回収されると、図８（ｄ）のように、受け皿４１０が上部材１２から取り外される。そして、回収された硬貨は、受け皿４１０ごとホッパー１３に運ばれて、ホッパー１３内へ投入される。
【００９８】
本変更例によれば、棒金を開封したときに、ばらけた硬貨が床面（フロア）等にこぼれ落ちるのを防止できる。
【００９９】
また、本変更例によれば、受け皿４１０が装置本体１１（上部材１２）に着脱自在であるので、ユーザは、受け皿４１０を用いて、回収された硬貨を容易にホッパー１３まで運ぶことができる。さらに、棒金を開封しないときには、受け皿４１０を取り外すことにより、受け皿４１０がホッパー１３への硬貨の投入作業の邪魔にならない。
【０１００】
さらに、本変更例によれば、受け皿４１０に設けた壁板４１２によって、硬貨の飛散が抑えられるので、硬貨を円滑に受け皿４１０で回収できる。
【０１０１】
なお、受け皿４１０側に装着板４１４が設けられ、上部材１２側に磁石４１３が設けられてもよい。あるいは、装着板４１４に替えて、磁石４１３と極性が異なる磁石が用いられてもよい。さらに、受け皿４１０を上部材１２に着脱自在に装着するための構成は、磁石４１３を用いた構成に限られるものではなく、たとえば、受け皿４１０と上部材１２との間に設けた凸部と凹部とが係合されるような構成であってもよい。
【０１０２】
＜変更例５＞
図９（ａ）は、変更例５に係る、棒金開封機構５００の構成を示す、上部材１２の要部の斜視図である。図９（ｂ）および（ｃ）は、変更例５に係る、棒金開封機構５００を用いた棒金の開封について説明するための図である。
【０１０３】
本変更例において、当たり棒５０１が特許請求の範囲に記載の「当たり部」に対応し、阻止棒５０２が特許請求の範囲に記載の「阻止部」に対応する。
【０１０４】
上部材１２の前側面１２ｂの上端部には、棒金開封機構５００が配置される配置溝部１９が形成される。配置溝部１９は、前方と上方とが、それぞれ、棒金の前方挿入口１９ａおよび上方挿入口１９ｂとして開放された直方体形状の溝部であり、平坦な左壁部１９１、右壁部１９２、後壁部１９３および底壁部１９４を有する。
【０１０５】
棒金開封機構５００は、当たり棒５０１と、阻止棒５０２とを含む。当たり棒５０１および阻止棒５０２は、たとえば、鉄、ステンレス等の金属材料で形成される。当たり棒５０１は、左壁部１９１の前縁部に、前縁部と接するように設けられる。阻止棒５０２は、右壁部１９２に接するように、当たり棒５０１よりも配置溝部１９内のおける後方位置に設けられる。
【０１０６】
当たり棒５０１と阻止棒５０２との左右方向における間隔（隙間）Ｌ２は、たとえば、上記実施形態の棒金開封溝部１００の幅Ｗ１と同じに設定される。また、当たり棒５０１と阻止棒５０２との前後方向における間隔Ｌ３は、最も長さの短い１円の棒金の長さの半分以下の値、より望ましくは３分の１程度の値、たとえば３０ｍｍ程度に設定される。さらに、当たり棒５０１と阻止棒５０２とは、その長さＬ４が同じとされ、最も直径の大きな５００円の棒金の直径よりやや大きな値、たとえば２８ｍｍ程度に設定される。
【０１０７】
棒金を開封する際には、ユーザは、図９（ｂ）のように、棒金を、その軸方向が前後方向となるように当たり棒５０１と阻止棒５０２との間に挿入する。このとき、棒金の先端が後壁部１９３に当接すると、後壁部１９３により、それ以上の先端の挿入が止められる。その後、ユーザは、当たり棒５０１よりも前方に位置する棒金の基端側を把持して、図示の矢印のように、当たり棒５０１側に押し倒すようにする。これにより、棒金の側面の一部が、当たり棒５０１に当たる。棒金の先端部は、阻止棒５０２に当たり、当たり棒５０１側と反対側へ動くのを阻止される。阻止棒５０２に当たる棒金の部位を支点Ａ、押された棒金の部位を力点Ｂ、当たり棒５０１に当たる棒金の部位を作用点Ｃとするテコの原理によって、作用点Ｃの部分において棒金に大きな曲げ応力が作用する。これにより、図９（ｃ）のように、棒金が折られて包装材が破断し、棒金が開封されてバラの状態の硬貨が取り出せるようになる。
【０１０８】
本変更例によれば、上記実施形態と同様、ユーザは、棒金開封機構５００を利用して、テコの原理により、小さな力で容易に棒金を折って破断させ、開封することができる。しかも、棒金の開封にカッター等の切断具を用いないので、怪我等の危険にさらされにくい。
【０１０９】
＜その他の変更例＞
上記実施形態において、図１０（ａ）に示すように、棒金開封溝部１００内に、棒金開封溝部１００の左壁部１０３ａ、右壁部１０３ｂおよび後壁部１０４を構成するコ字状の金属板１１０が嵌め込まれるようにしてもよい。これにより、棒金開封溝部１００が補強される。
【０１１０】
また、上記実施形態では、上部材１２の上面１２ａに、上方挿入口１０２が形成された。しかしながら、図１０（ｂ）に示すように、棒金開封溝部１００は、その上面が閉じられてもよい。この場合、棒金開封溝部１００の高さは、中に棒金の片割れが残っていても指が入る高さとされる。また、底壁部１０５には、変更例４と同様、棒金開封溝部１００の中に残った片割れが出てきやすいよう、傾斜面１０５ａが形成される。
【０１１１】
さらに、上記変更例２および３では、１つの棒金開封溝部２００、３００を、直径の異なる各種の棒金に対応させるようにした。しかしながら、各種の棒金にそれぞれ対応する幅と奥行と高さとを有する複数の棒金開封溝部が、上部材１２の前側面１２ｂに横に並ぶように設けられてもよい。
【０１１２】
さらに、上記変更例１ないし４の構成は、適宜、組み合わされてよい。
【０１１３】
さらに、上記実施形態や上記変更例では、棒金開封溝部１００、１００Ａ、２００、３００や棒金開封機構４００、５００が、貨幣処理装置の一例である硬貨包装機１に適用されたが、他の貨幣処理装置、たとえば、スーパー等に設置される硬貨釣銭機（レジスター、ＰＯＳ端末）、硬貨の入金を行う硬貨入金機、硬貨の入出金を行う硬貨処理機、硬貨処理機が含まれる出納機に適用することもできる。
【０１１４】
なお、上記実施形態では、棒金を左壁部１０３ａ側に押し倒すようにしているが、棒金を右壁部１０３ｂ側へ押し倒すこととしてもよい。
【０１１５】
この他、本発明の実施形態は、特許請求の範囲に記載の範囲で適宜変更可能である。
【符号の説明】
【０１１６】
１  硬貨包装機（貨幣処理装置）
１１  装置本体
１２  上部材
１２ａ  上面
１２ｂ  前側面
１３  ホッパー（投入口部）
１６  第１収納箱（収納部）
１７  第２収納箱（収納部）
１８  第３収納箱（収納部）
１００  棒金開封溝部（棒金開封機構）
１００Ａ  棒金開封溝部（棒金開封機構）
１００Ｂ  棒金開封溝部
１０３  一対の壁部
１０４  後壁部（規制部）
１０５  底壁部（規制部）
１０５ａ  傾斜面
１０６  突起部
２００  棒金開封溝部（棒金開封機構）
２０３  左壁部（一方の壁部）
２０９  第１の一対の壁部
２１０  第２の一対の壁部
２０６  後壁部（規制部）
３００  棒金開封溝部（棒金開封機構）
３０４  右壁部（一方の壁部）
３０９  第１の一対の壁部
３１０  第２の一対の壁部
３０６  後壁部（規制部）
４００  棒金開封機構
４１０  受け皿（受け部）
５００  棒金開封機構
５０１  当たり棒（当たり部）
５０２  阻止棒（阻止部）
【図１】
2018005697.tif 000003
【図２】
2018005697.tif 000004
【図３】
2018005697.tif 000005
【図４】
2018005697.tif 000006
【図５】
2018005697.tif 000007
【図６】
2018005697.tif 000008
【図７】
2018005697.tif 000009
【図８】
2018005697.tif 000010
【図９】
2018005697.tif 000011
【図１０】
2018005697.tif 000012